(57)【要約】      （修正有）【課題】図書館や旅先へも気軽に持って行ける一枚板をベースにした折畳み式の書見台を提供する。【解決手段】書見板２と基板６の２枚の板から構成され、書見板２の中に折り曲げ自在の支持板４を設け、基板６の中に、支持板凸部が入る切り欠き部７を設けるとともに、基板６の中に折り曲げ自在の書載板８を設けて折畳み式の書見台を構成する。組立て時に支持板凸部を４箇所の切り欠き部７の一つを選択してその中に挿入することによって書見板２の傾斜角度を４段階に調節でき、書載板２の下方に引出された書載板８の上に書籍を載置し、その上で左右に見開いたページ部を移動自在のバインダーで留め、兼ねて書載板８の上に折り上げられた書籍ストッパー９を使い書籍の前滑りを防ぐことを可能とする。【選択図】図５
0003168147.tif 000002
【実用新案登録請求の範囲】
【請求項１】
本考案は、二つに折畳める一枚板（１）をベースにした携帯用の書見台であり、書見板（２）と基板（６）の２枚の板から構成され、書見板（２）の中に３辺の切断線（１１）を入れ、残りの１辺（１２）で折り曲げ自在にした支持板（４）を設け、基板（６）の中に、支持板（４）の支持板凸部（５）が入る４箇所の切り欠き部（７）を設けるとともに、基板（６）の中に３辺の切断線（１３）を入れ、残りの１辺（１４）で折り曲げ自在にした書載板（８）を設けた折畳式の書見台で、組立て時に支持板（４）の支持板凸部（５）を基板（６）内に設けた４箇所のいずれかの切り欠き部（７）の中に挿入することによって書見板（２）の傾斜角度を４段階に調節できる組立て式書見台。
【請求項２】
本考案は、組み立てた書見台の書見板（２）の下方に引出された書載板（８）の上に書籍の底（地）を載置して、そこで左右に見開いた書籍のページ部（１７）が閉じられないようにその部分を書見板（２）の適宜な場所に留める用具である移動自在のバインダー(１８）を装備した請求項１記載の書見台。
【請求項３】
本考案は、組み立てた書見台の書見板（２）の下方に引出された書載板（８）の上に書籍の底（地）を載置したときに、書籍の前滑りを防止するための書籍ストッパー（９）を設けた請求項１記載の書見台。
【考案の詳細な説明】
【技術分野】
【０００１】
本考案は、書籍を読む者が額を俯けにしたりせず、目や肩、首、手に負担のかからない自然で楽な姿勢で読書することを可能にする書見台で、軽くしかも嵩張らず、手軽に図書館や旅先に携行することができる折畳式の書見台に関する。  
【背景技術】
【０００２】
従来の書見台は、立体的であり図書館や旅先へ携行して使うには嵩張ってそれなりの重さの荷物になる。  
【０００３】
従来の携帯用書見台は、書籍の保持や見開きページの固定に安定感を欠くものやその構造が複雑なものが多い。  
【０００４】
【特許文献１】特開２００６−１５００１４号公報実開昭６２−０９８５３２号公報実登３０６５６８６号公報
【考案の開示】
【考案が解決しようとする課題】
【０００５】
解決しようとする課題は、従来の書見台は立体的になっており、気軽に図書館や旅先へ持っていけるようになっておらず、仮に携帯用のものでも、その構造が複雑で、書籍のページ押さえも確実には行えない。
【課題を解決するための手段】
【０００６】
本考案の書見台は、携帯時には２つに折り畳める書見台で、書籍を載せる書見板（２）とそれを支える支持板（４）、その支持板（４）を受け止める基板（６）、書籍の底（地）を置く書載板（８）及び、書籍の前滑りを防ぐ書籍ストッパー（９）から構成され、併せて、見開いた書籍のページ部（１７）を留める移動自在バインダー（１８）を装備する。  
【０００７】
図１に示すごとく、平面に置いた縦長方形の一枚板（１）をそのほぼ中央の中央折り曲げ部（１０）で半分に折り上げて書見板（２）とし、一枚板（１）の残りの半分を基板（６）とする。  
【０００８】
書見板（２）の中の支持板（４）を後方へ押し曲げ、その支持板凸部（５）を基板（６）内に切り欠けられた４つの切り欠き部（７）のいずれかの切り欠き部（７）に挿入し固定できるようにする。  
【０００９】
基板（６）の中の書載板（８）を手前に折り曲げられるようにする。  
【００１０】
書見板（２）内の支持板凸部（５）を基板（６）内のいずれかの切り欠き部（７）に挿入して書見板（２）の傾斜角度を４段階に調節できるようにする。  
【００１１】
本考案の書見台は、折畳み式の携帯用となっている。  
【００１２】
本考案の書見台は、組み立てられた書見台の書見板（２）の下方部に引出された書載板（８）の上に書籍の底（地）を載置し、そこで左右に見開いた書籍のページ部（１７）を書見板（２）の適宜な場所で固定するための用具である移動自在バインダー（１８）を装備する。
【考案の効果】
【００１３】
本考案の書見台は、強化段ボールやボール紙あるいはプラスチックなどの軽くて強度のある素材でできており、折畳み式となっているので気軽に鞄の中に折畳んで収納して、図書館や旅先へ持って行って使える。  
【００１４】
本考案の書見台では見開いたページが閉じられないように留める移動自在バインダー（１８）を使うので、両手を自由にして読書できる。  
【００１５】
書見板（２）内の支持板凸部（５）を基板（６）内のいずれかの切り欠き部（７）に挿入して書見板（２）の傾斜角度を４段階に調節できる。
【考案を実施するための最良の形態】
【００１６】
図１は一枚板（１）の内側平面図で、図２はその右側面図である。  
【００１７】
机上に置いた図１の一枚板（１）をそのほぼ中央の中央折り曲げ部（１０）で上へ折り曲げ自在の構造にし、机上面に置かれた部分を基板（６）とし、折り上げた部分を書見板（２）とする。  
【００１８】
図１の基板（６）内の書載板折り曲げ部（１４）で手前へ折り曲げ自在の構造にして、手前に折り曲げて書載板（８）とする。  
【００１９】
図１の書見板（２）内の支持板折り曲げ部（１２）で支持板（４）を後方へ押し曲げ、支持板凸部（５）を基板内の切り欠き部（７）のいずれかに挿入して書見板（２）を固定する。  
【００２０】
図４は、一枚板（１）を上へ折畳んだ右側面図であり、図５はその斜視図である。  
【００２１】
００１７から００１９に記載の手順で折り曲げたり折り上げたり挿入固定して書見台として組立て、以下に示す図はその組立て後の図で、図５は斜視図、図６は正面図、図７は右側面図、図８は背面図である。
【実施例１】
【００２２】
図９は、本考案書見台に単行本を載せたときの斜視図で、書見板（２）の下方部に引出された書載板(８)の上に単行本を載せ、そこで左右に見開いた書籍のページ部（１７）が閉じられないように押さえるための用具である移動自在バインダー（１８）を使って見開いた書籍のページ部（１７）を書見板（２）に留めて書見するときの実施例であり、書見板（２）の丈が２６．５センチメートルあることから、文庫本や単行本、A５判の教科書や学術書はもちろんのことB５判の週刊誌などまでに利用できる。
【図面の簡単な説明】
【００２３】
【図１】机上に平置きした一枚板の内側平面図
【図２】一枚板の右側面図
【図３】一枚板の折畳み右側面図
【図４】折畳んだ書見台の斜視図
【図５】組み立てた書見台の斜視図
【図６】組み立てた書見台の正面図
【図７】組み立てた書見台の右側面図
【図８】組み立てた書見台の背面図
【図９】単行本を搭載した書見台の斜視図
【図１０】組み立て手順の斜視図
【符号の説明】
【００２４】
（１）一枚板（２）書見板（３）書見板内の切り欠き空間部（４）支持板（５）支持板凸部（６）基板（７）基板内の切り欠き部（８）書載板（９）書籍ストッパー（１０）一枚板の中央折り曲げ部（１１）書見板内の切断線（１２）書見板内の支持板折り曲げ部（１３）基板内の切断線（１４）基板内の書載板折り曲げ部（１５）書載板内の切断線（１６）書載板内の書籍ストッパー折り曲げ部（１７）単行本ページ部（１８）移動自在バインダー
【図１】
0003168147.tif 000003
【図２】
0003168147.tif 000004
【図３】
0003168147.tif 000005
【図４】
0003168147.tif 000006
【図５】
0003168147.tif 000007
【図６】
0003168147.tif 000008
【図７】
0003168147.tif 000009
【図８】
0003168147.tif 000010
【図９】
0003168147.tif 000011
【図１０】
0003168147.tif 000012